(57)【要約】【課題】フレームに対するブラケットの取付位置が複数存在する場合でも、製造工程が煩雑になり難い乗物用シートを提供すること。【解決手段】フレームと、ブラケットと、３個以上のフレーム側孔と、３個以上のブラケット側孔と、を備え、フレーム側孔及びブラケット側孔は、以下の条件（ａ）を充足するとともに、以下の条件（ｂ）又は（ｃ）を充足するように配置されている乗物用シート。（ａ）２個以上のフレーム側孔と、２個以上のブラケット側孔とが一致する取付位置が２以上存在する。（ｂ）任意の取付位置において、ブラケット側孔と一致する２個以上のフレーム側孔の少なくとも一部は、他の取付位置ではブラケット側孔のいずれとも一致しない。（ｃ）任意の取付位置において、フレーム側孔と一致する２個以上のブラケット側孔の少なくとも一部は、他の取付位置ではフレーム側孔のいずれとも一致しない。【選択図】図３
2018043669.tif 000002
【特許請求の範囲】
【請求項１】
着座者の背部を支持するフレームと、
前記フレームの上部に取り付けられるブラケットと、
前記ブラケットに対し、前記フレームとは反対側から取り付けられるヘッドレストサポートブラケットと、
前記フレームに設けられた３個以上のフレーム側孔と、
前記ブラケットに設けられた３個以上のブラケット側孔と、
を備え、
前記フレーム側孔及び前記ブラケット側孔は、以下の条件（ａ）を充足するとともに、以下の条件（ｂ）又は（ｃ）を充足するように配置されている乗物用シート。
（ａ）２個以上の前記フレーム側孔と、２個以上の前記ブラケット側孔とが一致する、前記フレームに対する前記ブラケットの取付位置が２以上存在する。
（ｂ）任意の前記取付位置において、前記ブラケット側孔と一致する２個以上の前記フレーム側孔の少なくとも一部は、他の前記取付位置では前記ブラケット側孔のいずれとも一致しない。
（ｃ）任意の前記取付位置において、前記フレーム側孔と一致する２個以上の前記ブラケット側孔の少なくとも一部は、他の前記取付位置では前記フレーム側孔のいずれとも一致しない。
【請求項２】
請求項１に記載の乗物用シートであって、
前記フレーム側孔及び前記ブラケット側孔のうちの一方は、前記フレーム及び前記ブラケットのうちの一方において、長方形の４頂点、及び前記長方形の１辺における中点に該当する位置に配置され、
前記フレーム側孔及び前記ブラケット側孔のうちの他方は、前記フレーム及び前記ブラケットのうちの他方において、いずれかの前記取付位置にあるとき、前記１辺の両端に一致する位置、及び前記長方形において前記１辺に対向する辺の中点に一致する位置に配置されている乗物用シート。
【請求項３】
請求項１又は２に記載の乗物用シートであって、
前記フレーム側孔の直径は、前記ブラケット側孔の直径より大きい乗物用シート。
【発明の詳細な説明】
【技術分野】
【０００１】
本開示は乗物用シートに関する。
【背景技術】
【０００２】
従来、以下のような乗物用シートが知られている。乗物用シートは、着座者の背部を支持するフレームと、そのフレームの上部に取り付けられるブラケットと、ブラケットに対し、フレームとは反対側から取り付けられるヘッドレストサポートブラケットとを備える。ヘッドレストサポートブラケットには、ヘッドレストが取り付けられる（特許文献１参照）。
【０００３】
フレームに対するブラケットの取付位置を決める方法として、以下の方法が知られている。フレームには、複数の孔（以下ではフレーム側孔とする）が設けられている。また、ブラケットにも、複数の孔（以下ではブラケット側孔とする）が設けられている。正面視において、フレーム側孔とブラケット側孔とが一致するように、フレームに対するブラケットの取付位置を決める。次に、フレームとブラケットとを溶接する。
【先行技術文献】
【特許文献】
【０００４】
【特許文献１】特開２０１４−１９３１６号公報
【発明の概要】
【発明が解決しようとする課題】
【０００５】
フレーム、ブラケットは同一であっても、仕様、車種等に応じて、フレームに対するブラケットの取付位置が異なることがある。この場合、上述した方法で取付位置を決めるためには、仕様、車種ごとに、フレーム側孔又はブラケット側孔の位置を変更する必要がある。そのため、乗物用シートの製造工程が煩雑となってしまう。
【０００６】
本開示の一局面は、フレームに対するブラケットの取付位置が複数存在する場合でも、製造工程が煩雑になり難い乗物用シートを提供することを目的とする。
【課題を解決するための手段】
【０００７】
本開示の一態様は、着座者の背部を支持するフレームと、前記フレームの上部に取り付けられるブラケットと、前記ブラケットに対し、前記フレームとは反対側から取り付けられるヘッドレストサポートブラケットと、前記フレームに設けられた３個以上のフレーム側孔と、前記ブラケットに設けられた３個以上のブラケット側孔と、を備え、前記フレーム側孔及び前記ブラケット側孔は、以下の条件（ａ）を充足するとともに、以下の条件（ｂ）又は（ｃ）を充足するように配置されている乗物用シートである。
【０００８】
（ａ）２個以上の前記フレーム側孔と、２個以上の前記ブラケット側孔とが一致する、前記フレームに対する前記ブラケットの取付位置が２以上存在する。
（ｂ）任意の前記取付位置において、前記ブラケット側孔と一致する２個以上の前記フレーム側孔の少なくとも一部は、他の前記取付位置では前記ブラケット側孔のいずれとも一致しない。
【０００９】
（ｃ）任意の前記取付位置において、前記フレーム側孔と一致する２個以上の前記ブラケット側孔の少なくとも一部は、他の前記取付位置では前記フレーム側孔のいずれとも一致しない。
【００１０】
本開示の乗物用シートでは、フレーム側孔及びブラケット側孔が前記条件（ａ）を充足するので、２個以上のフレーム側孔と、２個以上のブラケット側孔とが一致する取付位置が２以上存在する。そのため、同一のフレーム及びブラケットにおいて、２以上の取付位置の中から、１つの取付位置を選択し、決定することができる。その結果、乗物用シートの製造工程が煩雑になることを抑制できる。
【００１１】
また、本開示の乗物用シートでは、フレーム側孔及びブラケット側孔が前記条件（ｂ）又は（ｃ）を充足する。フレーム側孔及びブラケット側孔が前記条件（ｂ）を充足する場合、特定の２以上のフレーム側孔の全てがブラケット側孔と一致する取付位置は１のみである。そのため、その特定の２以上のフレーム側孔の全てがブラケット側孔と一致する取付位置を選択するようにすれば、取付位置の選択を誤ってしまうことを抑制できる。
【００１２】
また、フレーム側孔及びブラケット側孔が前記条件（ｃ）を充足する場合、特定の２以上のブラケット側孔の全てがフレーム側孔と一致する取付位置は１のみである。そのため、その特定の２以上のブラケット側孔の全てがフレーム側孔と一致する取付位置を選択するようにすれば、取付位置の選択を誤ってしまうことを抑制できる。
【００１３】
本開示の乗物用シートは、例えば、以下の構成１をさらに備えていてもよい。
（構成１）
前記フレーム側孔及び前記ブラケット側孔のうちの一方は、前記フレーム及び前記ブラケットのうちの一方において、長方形の４頂点、及び前記長方形の１辺における中点に該当する位置に配置され、
前記フレーム側孔及び前記ブラケット側孔のうちの他方は、前記フレーム及び前記ブラケットのうちの他方において、いずれかの前記取付位置にあるとき、前記１辺の両端に一致する位置、及び前記長方形において前記１辺に対向する辺の中点に一致する位置に配置されている。
【００１４】
本開示の乗物用シートは、前記構成１をさらに備える場合、前記（ａ）を充足するとともに、前記条件（ｂ）又は（ｃ）を充足するフレーム側孔及びブラケット側孔を、簡易な構成で実現できる。
【００１５】
本開示の乗物用シートは、例えば、以下の構成２をさらに備えていてもよい。
（構成２）
前記フレーム側孔の直径は、前記ブラケット側孔の直径より大きい。
【００１６】
本開示の乗物用シートは、前記構成２をさらに備える場合、フレーム側孔からブラケット側孔に向けて治具を差し込み、フレーム側孔とブラケット側孔との位置を正面視において一致させることが一層容易になる。
【図面の簡単な説明】
【００１７】
【図１】乗物用シート１の構成を表す斜視図である。
【図２】フレーム５とブラケット７との構成を表す分解斜視図である。
【図３】第１の取付位置を表す正面図である。
【図４】第２の取付位置を表す正面図である。
【図５】第３の取付位置を表す正面図である。
【発明を実施するための形態】
【００１８】
本開示の実施形態を図面に基づき説明する。
＜第１実施形態＞
１．乗物用シート１の構成
乗物用シート１の構成を図１〜図５に基づき説明する。図１に示す乗物用シート１は、自動車に搭載されるシートである。乗物用シート１は、シートバック３及び図示しないシートクッションを備えた周知の形態を有する。
【００１９】
乗物用シート１は、フレーム５、ブラケット７、及び一対のヘッドレストサポートブラケット９を備える。フレーム５は、略矩形の形状を有する板状部材である。フレーム５はシートバック３の骨格の一部を成す。フレーム５は着座者の背部を支持する。
【００２０】
図２に示すように、フレーム５における上方且つ右側の部分に、３個のフレーム側孔１０Ａ、１０Ｂ、１０Ｃが設けられている。フレーム側孔１０Ａ、１０Ｂ、１０Ｃはフレーム５を前後方向に貫通する。前後方向とは、乗物用シート１及び自動車の前後方向である。フレーム側孔１０Ａ、１０Ｂ、１０Ｃの形状は正面視において円形である。フレーム側孔１０Ａ、１０Ｂ、１０Ｃの直径は全て同じである。
【００２１】
フレーム側孔１０Ａ、１０Ｂの上下方向における位置は同じである。フレーム側孔１０Ｃは、フレーム側孔１０Ａ、１０Ｂよりも下方にある。図２に示すように、フレーム側孔１０Ａ、１０Ｂを結ぶ線分を辺１２とし、その辺１２に対向する辺１４がフレーム側孔１０Ｃを通る仮想的な長方形１６を想定した場合、フレーム側孔１０Ｃは辺１４の中点に位置する。フレーム５のうち、フレーム側孔１０Ａ、１０Ｂ、１０Ｃで囲まれる部分に孔１７が形成されている。
【００２２】
図１に示すように、ブラケット７はフレーム５の上部に、前方側から取り付けられる部材である。ブラケット７は、ベース部１９と、一対の突出部２１とを備える。ベース部１９は、略平板形状を有し、フレーム５に対向している。一対の突出部２１は、ブラケット７の上方の部分における左右両側に設けられている。一対の突出部２１は、ベース部１９よりも前方に突出する形状を有する。
【００２３】
ベース部１９には、５個のブラケット側孔２２Ａ、２２Ｂ、２２Ｃ、２２Ｄ、２２Ｅが設けられている。ブラケット側孔２２Ａ、２２Ｂ、２２Ｃ、２２Ｄ、２２Ｅはベース部１９を前後方向に貫通する。ブラケット側孔２２Ａ、２２Ｂ、２２Ｃ、２２Ｄ、２２Ｅの形状は正面視において円形である。ブラケット側孔２２Ａ、２２Ｂ、２２Ｃ、２２Ｄ、２２Ｅの直径は全て同じである。ブラケット側孔２２Ａ、２２Ｂ、２２Ｃ、２２Ｄ、２２Ｅの直径は、フレーム側孔１０Ａ、１０Ｂ、１０Ｃの直径より小さい。
【００２４】
ブラケット側孔２２Ａ、２２Ｂ、２２Ｃの上下方向における位置は同じである。ブラケット側孔２２Ｄ、２２Ｅは、ブラケット側孔２２Ａ、２２Ｂ、２２Ｃよりも下方にある。ブラケット側孔２２Ｄ、２２Ｅの上下方向における位置は同じである。ブラケット側孔２２Ｄは、正面視においてブラケット側孔２２Ｃの真下にある。ブラケット側孔２２Ｅは、正面視においてブラケット側孔２２Ａの真下にある。
【００２５】
ブラケット側孔２２Ａ、２２Ｃ、２２Ｄ、２２Ｅは、ベース部１９の表面における仮想的な長方形２４の４頂点に該当する位置に配置されている。ブラケット側孔２２Ｂは、長方形２４における、ブラケット側孔２２Ａ、２２Ｃを結ぶ辺２６の中点に該当する位置に配置されている。長方形２４の形状及び大きさは、長方形１６と同一である。
【００２６】
ヘッドレストサポートブラケット９は、中空円筒形状を有する部材である。ヘッドレストサポートブラケット９は、突出部２１に前方側から取り付けられている。すなわち、ヘッドレストサポートブラケット９は、ブラケット７に対し、フレーム５とは反対側から取り付けられている。ヘッドレストサポートブラケット９の向きは、その軸方向が正面視において上下方向となる向きである。ヘッドレストサポートブラケット９の上端及び下端は開口している。一方のヘッドレストサポートブラケット９の上端には、略Ｕ字形状を有するステー２７の一端が差し込まれ、他方のヘッドレストサポートブラケット９の上端には、ステー２７の他端が差し込まれる。ステー２７はヘッドレスト（図示略）の一部である。ステー２７を前記のようにヘッドレストサポートブラケット９に差し込むことでヘッドレストがシートバック３に固定される。  
【００２７】
ブラケット７は、スポット溶接により、フレーム５に取り付けられる。フレーム５に対するブラケット７の取付位置（以下ではＰ−Ｂ取付位置とする）は、フレーム側孔１０Ａ、１０Ｂ、１０Ｃと、ブラケット側孔２２Ａ、２２Ｂ、２２Ｃ、２２Ｄ、２２Ｅとを用いて決められる。
【００２８】
Ｐ−Ｂ取付位置としては、図３に示す第１の取付位置と、図４に示す第２の取付位置と、図５に示す第３の取付位置とがある。
図３に示すように、第１の取付位置では、フレーム側孔１０Ｂと、ブラケット側孔２２Ｂとが正面視において一致しており、フレーム側孔１０Ｃと、ブラケット側孔２２Ｅとが正面視において一致している。フレーム側孔１０Ａは、ブラケット側孔２２Ａ、２２Ｂ、２２Ｃ、２２Ｄ、２２Ｅのいずれにも正面視において一致していない。ブラケット側孔２２Ａ、２２Ｃ、２２Ｄは、フレーム側孔１０Ａ、１０Ｂ、１０Ｃのいずれにも正面視において一致していない。
【００２９】
Ｐ−Ｂ取付位置を第１の取付位置とする場合、１本の直線棒状の治具を、フレーム側孔１０Ｂ及びブラケット側孔２２Ｂに前後方向に差し込むとともに、もう一本の直線棒状の治具を、フレーム側孔１０Ｃ及びブラケット側孔２２Ｅに前後方向に差し込むことで、Ｐ−Ｂ取付位置の位置決めを行う。
【００３０】
図４に示すように、第２の取付位置では、フレーム側孔１０Ａと、ブラケット側孔２２Ａとが正面視において一致しており、フレーム側孔１０Ｂと、ブラケット側孔２２Ｃとが正面視において一致している。フレーム側孔１０Ｃは、ブラケット側孔２２Ａ、２２Ｂ、２２Ｃ、２２Ｄ、２２Ｅのいずれにも正面視において一致していない。ブラケット側孔２２Ｂ、２２Ｄ、２２Ｅは、フレーム側孔１０Ａ、１０Ｂ、１０Ｃのいずれにも正面視において一致していない。
【００３１】
Ｐ−Ｂ取付位置を第２の取付位置とする場合、１本の直線棒状の治具を、フレーム側孔１０Ａ及びブラケット側孔２２Ａに前後方向に差し込むとともに、もう一本の直線棒状の治具を、フレーム側孔１０Ｂ及びブラケット側孔２２Ｃに前後方向に差し込むことで、Ｐ−Ｂ取付位置の位置決めを行う。第２の取付位置の場合、第１の取付位置の場合に比べて、ブラケット７がフレーム５に対し、正面視において左側に位置する。第２の取付位置の場合、長方形１６と長方形２４とは正面視において一致する。第２の取付位置は、第１の取付位置に比べて、ブラケット７の高さ及び向きは変化せず、ブラケット７のシート幅方向における位置が変化している。
【００３２】
図５に示すように、第３の取付位置では、フレーム側孔１０Ａと、ブラケット側孔２２Ｂとが正面視において一致しており、フレーム側孔１０Ｃと、ブラケット側孔２２Ｄとが正面視において一致している。フレーム側孔１０Ｂは、ブラケット側孔２２Ａ、２２Ｂ、２２Ｃ、２２Ｄ、２２Ｅのいずれにも正面視において一致していない。ブラケット側孔２２Ａ、２２Ｃ、２２Ｅは、フレーム側孔１０Ａ、１０Ｂ、１０Ｃのいずれにも正面視において一致していない。
【００３３】
Ｐ−Ｂ取付位置を第３の取付位置とする場合、１本の直線棒状の治具を、フレーム側孔１０Ａ及びブラケット側孔２２Ｂに前後方向に差し込むとともに、もう一本の直線棒状の治具を、フレーム側孔１０Ｃ及びブラケット側孔２２Ｄに前後方向に差し込むことで、Ｐ−Ｂ取付位置の位置決めを行う。第３の取付位置の場合、第２の取付位置の場合に比べて、ブラケット７がフレーム５に対し、正面視において左側に位置する。第３の取付位置は、第１の取付位置及び第２の取付位置に比べて、ブラケット７の高さ及び向きは変化せず、ブラケット７のシート幅方向における位置が変化している。
【００３４】
２．乗物用シート１が奏する効果
乗物用シート１は以下の効果を奏する。
（１Ａ）乗物用シート１において、Ｐ−Ｂ取付位置は３つ存在する。そのため、同一のフレーム５及びブラケット７において、３つのＰ−Ｂ取付位置の中から１つのＰ−Ｂ取付位置を選択し、決定することができる。その結果、乗物用シート１の製造工程が煩雑になることを抑制できる。
【００３５】
（１Ｂ）図３に示すように、第１の取付位置において、フレーム側孔１０Ｂ、１０Ｃは、ブラケット側孔２２Ａ、２２Ｂ、２２Ｃ、２２Ｄ、２２Ｅのいずれかと一致する。一方、図４、図５に示すように、フレーム側孔１０Ｂ、１０Ｃの少なくとも一部は、第２の取付位置、及び第３の取付位置では、ブラケット側孔２２Ａ、２２Ｂ、２２Ｃ、２２Ｄ、２２Ｅのいずれとも一致しない。すなわち、第２の取付位置では、フレーム側孔１０Ｃは、ブラケット側孔２２Ａ、２２Ｂ、２２Ｃ、２２Ｄ、２２Ｅのいずれとも一致しない。また、第３の取付位置では、フレーム側孔１０Ｂは、ブラケット側孔２２Ａ、２２Ｂ、２２Ｃ、２２Ｄ、２２Ｅのいずれとも一致しない。
【００３６】
よって、フレーム側孔１０Ｂ、１０Ｃの両方が、ブラケット側孔２２Ａ、２２Ｂ、２２Ｃ、２２Ｄ、２２Ｅのいずれかと一致するようにＰ−Ｂ取付位置を決めれば、Ｐ−Ｂ取付位置は必ず第１の取付位置となる。その結果、第１の取付位置を選択すべき場合に、誤って、第２の取付位置又は第３の取付位置を選択してしまうことを抑制できる。
【００３７】
また、図４に示すように、第２の取付位置において、フレーム側孔１０Ａ、１０Ｂは、ブラケット側孔２２Ａ、２２Ｂ、２２Ｃ、２２Ｄ、２２Ｅのいずれかと一致する。一方、図３、図５に示すように、フレーム側孔１０Ａ、１０Ｂの少なくとも一部は、第１の取付位置、及び第３の取付位置では、ブラケット側孔２２Ａ、２２Ｂ、２２Ｃ、２２Ｄ、２２Ｅのいずれとも一致しない。すなわち、第１の取付位置では、フレーム側孔１０Ａは、ブラケット側孔２２Ａ、２２Ｂ、２２Ｃ、２２Ｄ、２２Ｅのいずれとも一致しない。また、第３の取付位置では、フレーム側孔１０Ｂは、ブラケット側孔２２Ａ、２２Ｂ、２２Ｃ、２２Ｄ、２２Ｅのいずれとも一致しない。
【００３８】
よって、フレーム側孔１０Ａ、１０Ｂの両方が、ブラケット側孔２２Ａ、２２Ｂ、２２Ｃ、２２Ｄ、２２Ｅのいずれかと一致するようにＰ−Ｂ取付位置を決めれば、Ｐ−Ｂ取付位置は必ず第２の取付位置となる。その結果、第２の取付位置を選択すべき場合に、誤って、第１の取付位置又は第３の取付位置を選択してしまうことを抑制できる。
【００３９】
また、図５に示すように、第３の取付位置において、フレーム側孔１０Ａ、１０Ｃは、ブラケット側孔２２Ａ、２２Ｂ、２２Ｃ、２２Ｄ、２２Ｅのいずれかと一致する。一方、図３、図４に示すように、フレーム側孔１０Ａ、１０Ｃの少なくとも一部は、第１の取付位置、及び第２の取付位置では、ブラケット側孔２２Ａ、２２Ｂ、２２Ｃ、２２Ｄ、２２Ｅのいずれとも一致しない。すなわち、第１の取付位置では、フレーム側孔１０Ａは、ブラケット側孔２２Ａ、２２Ｂ、２２Ｃ、２２Ｄ、２２Ｅのいずれとも一致しない。また、第２の取付位置では、フレーム側孔１０Ｃは、ブラケット側孔２２Ａ、２２Ｂ、２２Ｃ、２２Ｄ、２２Ｅのいずれとも一致しない。
【００４０】
よって、フレーム側孔１０Ａ、１０Ｃの両方が、ブラケット側孔２２Ａ、２２Ｂ、２２Ｃ、２２Ｄ、２２Ｅのいずれかと一致するようにＰ−Ｂ取付位置を決めれば、Ｐ−Ｂ取付位置は必ず第３の取付位置となる。その結果、第３の取付位置を選択すべき場合に、誤って、第１の取付位置又は第２の取付位置を選択してしまうことを抑制できる。
【００４１】
（１Ｃ）図３に示すように、第１の取付位置において、ブラケット側孔２２Ｂ、２２Ｅは、フレーム側孔１０Ａ、１０Ｂ、１０Ｃのいずれかと一致する。一方、図４、図５に示すように、ブラケット側孔２２Ｂ、２２Ｅの少なくとも一部は、第２の取付位置、及び第３の取付位置では、フレーム側孔１０Ａ、１０Ｂ、１０Ｃのいずれとも一致しない。すなわち、第２の取付位置では、ブラケット側孔２２Ｂ、２２Ｅは、フレーム側孔１０Ａ、１０Ｂ、１０Ｃのいずれとも一致しない。また、第３の取付位置では、ブラケット側孔２２Ｅは、フレーム側孔１０Ａ、１０Ｂ、１０Ｃのいずれとも一致しない。
【００４２】
よって、ブラケット側孔２２Ｂ、２２Ｅの両方が、フレーム側孔１０Ａ、１０Ｂ、１０Ｃのいずれかと一致するようにＰ−Ｂ取付位置を決めれば、Ｐ−Ｂ取付位置は必ず第１の取付位置となる。その結果、第１の取付位置を選択すべき場合に、誤って、第２の取付位置又は第３の取付位置を選択してしまうことを抑制できる。
【００４３】
また、図４に示すように、第２の取付位置において、ブラケット側孔２２Ａ、２２Ｃは、フレーム側孔１０Ａ、１０Ｂ、１０Ｃのいずれかと一致する。一方、図３、図５に示すように、ブラケット側孔２２Ａ、２２Ｃの少なくとも一部は、第１の取付位置、及び第３の取付位置では、フレーム側孔１０Ａ、１０Ｂ、１０Ｃのいずれとも一致しない。すなわち、第１の取付位置では、ブラケット側孔２２Ａ、２２Ｃは、フレーム側孔１０Ａ、１０Ｂ、１０Ｃのいずれとも一致しない。また、第３の取付位置でも、ブラケット側孔２２Ａ、２２Ｃは、フレーム側孔１０Ａ、１０Ｂ、１０Ｃのいずれとも一致しない。
【００４４】
よって、ブラケット側孔２２Ａ、２２Ｃの両方が、フレーム側孔１０Ａ、１０Ｂ、１０Ｃのいずれかと一致するようにＰ−Ｂ取付位置を決めれば、Ｐ−Ｂ取付位置は必ず第２の取付位置となる。その結果、第２の取付位置を選択すべき場合に、誤って、第１の取付位置又は第３の取付位置を選択してしまうことを抑制できる。
【００４５】
また、図５に示すように、第３の取付位置において、ブラケット側孔２２Ｂ、２２Ｄは、フレーム側孔１０Ａ、１０Ｂ、１０Ｃのいずれかと一致する。一方、図３、図４に示すように、ブラケット側孔２２Ｂ、２２Ｄの少なくとも一部は、第１の取付位置、及び第２の取付位置では、フレーム側孔１０Ａ、１０Ｂ、１０Ｃのいずれとも一致しない。すなわち、第１の取付位置では、ブラケット側孔２２Ｄは、フレーム側孔１０Ａ、１０Ｂ、１０Ｃのいずれとも一致しない。また、第２の取付位置では、ブラケット側孔２２Ｂ、２２Ｄは、フレーム側孔１０Ａ、１０Ｂ、１０Ｃのいずれとも一致しない。
【００４６】
よって、ブラケット側孔２２Ｂ、２２Ｄの両方が、フレーム側孔１０Ａ、１０Ｂ、１０Ｃのいずれかと一致するようにＰ−Ｂ取付位置を決めれば、Ｐ−Ｂ取付位置は必ず第３の取付位置となる。その結果、第３の取付位置を選択すべき場合に、誤って、第１の取付位置又は第２の取付位置を選択してしまうことを抑制できる。
【００４７】
（１Ｄ）図１、図２に示すように、ブラケット側孔２２Ａ、２２Ｂ、２２Ｃ、２２Ｄ、２２Ｅは、長方形２４の４頂点、及び長方形２４を構成する辺２６における中点に該当する位置に配置されている。図４に示すように、フレーム側孔１０Ａ、１０Ｂは、第２の取付位置において、辺２６の両端に一致する位置にあり、フレーム側孔１０Ｃは、長方形２４において辺２６に対向する辺２８の中点に一致する位置にある。
【００４８】
フレーム側孔１０Ａ、１０Ｂ、１０Ｃ及びブラケット側孔２２Ａ、２２Ｂ、２２Ｃ、２２Ｄ、２２Ｅが前記のように配置されていることにより、簡易な構成にて前記（１Ｂ）及び（１Ｃ）の効果を奏することができる。
【００４９】
（１Ｅ）フレーム側孔１０Ａ、１０Ｂ、１０Ｃの直径は、ブラケット側孔２２Ａ、２２Ｂ、２２Ｃ、２２Ｄ、２２Ｅの直径より大きい。そのため、フレーム側孔１０Ａ、１０Ｂ、１０Ｃからブラケット側孔２２Ａ、２２Ｂ、２２Ｃ、２２Ｄ、２２Ｅに向けて治具を差し込み、フレーム側孔１０Ａ、１０Ｂ、１０Ｃのいずれかとブラケット側孔２２Ａ、２２Ｂ、２２Ｃ、２２Ｄ、２２Ｅのいずれかとの位置を正面視において一致させることが一層容易になる。
＜他の実施形態＞
以上、本開示を実施するための形態について説明したが、本開示は上述の実施形態に限定されることなく、種々変形して実施することができる。
【００５０】
（１）ブラケット側孔２２Ａ、２２Ｂ、２２Ｃ、２２Ｄ、２２Ｅと同様に配置された孔を、フレーム５に設け、フレーム側孔１０Ａ、１０Ｂ、１０Ｃと同様に配置された孔をブラケット７に設けてもよい。この場合も、前記（１Ａ）〜（１Ｄ）の効果を奏することができる。
【００５１】
（２）フレーム側孔１０Ａ、１０Ｂ、１０Ｃ及びブラケット側孔２２Ａ、２２Ｂ、２２Ｃ、２２Ｄ、２２Ｅの配置パターンを、第１実施形態における配置パターンを上下反転したものとしてもよい。この場合も、前記（１Ａ）〜（１Ｄ）の効果を奏することができる。
【００５２】
（３）フレーム側孔１０Ａ、１０Ｂ、１０Ｃ及びブラケット側孔２２Ａ、２２Ｂ、２２Ｃ、２２Ｄ、２２Ｅの配置パターンは、前記（１Ａ）〜（１Ｄ）の効果を奏する範囲において、適宜変更してもよい。
【００５３】
（４）Ｐ−Ｂ取付位置の種類は、３種以外であってもよい。例えば、Ｐ−Ｂ取付位置の種類は、２、４、５・・・種であってもよい。
（５）Ｐ−Ｂ取付位置において、ブラケット側孔と一致するフレーム側孔の数は３個以上であってもよい。
【００５４】
（６）第１の取付位置、第２の取付位置、及び第３の取付位置のうちの一部は、他に比べて、ブラケット７の高さ、又はブラケット７の向きが異なる取付位置であってもよい。
（７）前記実施形態では、乗物用シート１を自動車に適用したが、乗物用シート１を、自動車以外の乗り物（例えば、鉄道車両、航空機、船舶等）に用いてもよい。
【００５５】
（８）前記各実施形態における１つの構成要素が有する機能を複数の構成要素に分担させたり、複数の構成要素が有する機能を１つの構成要素に発揮させたりしてもよい。また、前記各実施形態の構成の一部を省略してもよい。また、前記各実施形態の構成の少なくとも一部を、他の前記実施形態の構成に対して付加、置換等してもよい。なお、特許請求の範囲に記載の文言から特定される技術思想に含まれるあらゆる態様が本開示の実施形態である。
【符号の説明】
【００５６】
１…乗物用シート、３…シートバック、５…フレーム、７…ブラケット、９…ヘッドレストサポートブラケット、１０Ａ、１０Ｂ、１０Ｃ…フレーム側孔、１２、１４、２６、２８…辺、１６、２４…長方形、１７…孔、１９…ベース部、２１…突出部、２２Ａ、２２Ｂ、２２Ｃ、２２Ｄ、２２Ｅ…ブラケット側孔、２７…ステー
【図１】
2018043669.tif 000003
【図２】
2018043669.tif 000004
【図３】
2018043669.tif 000005
【図４】
2018043669.tif 000006
【図５】
2018043669.tif 000007